(57)【要約】【課題】筆記できるのはもちろんのこと、指圧もできる筆記具を提供する。しかも、指圧効果が高く、筆記具として使用する場合に不具合が生じない指圧のできる筆記具を提供する。【解決手段】筆記具軸に収納された筆記芯の筆記部を筆記具軸の先端において出没させるノック式操作部材が上記筆記具軸の中間側面部に設けられると共に、筆記具軸における反先端側端部に指圧部材が設けられる。そして、上記指圧部材に磁石が取付けられている。【選択図】        図１
2004345224.tif 000002
【特許請求の範囲】
【請求項１】
筆記具軸に収納された筆記芯の筆記部を筆記具軸の先端において出没させるノック式操作部材が上記筆記具軸の中間側面部に設けられると共に、筆記具軸における反先端側端部に指圧部材が設けられたことを特徴とする筆記具。
【請求項２】
上記指圧部材に磁石が取付けられていることを特徴とする請求項１記載の筆記具。
【請求項３】
上記指圧部材が上記筆記具軸に対し着脱自在で、筆記具軸から取り外すことにより、筆記具軸の内部へ筆記芯を補充できるように形成されていることを特徴とする請求項１又は２記載の筆記具。
【請求項４】
上記指圧部材がプラスチックにより略弾頭状に形成され、その頭部に上記磁石がその先端面を露呈するように埋設されていることを特徴とする請求項２又は３記載の筆記具。
【請求項５】
上記磁石にネオジウムが用いられていることを特徴とする請求項２、３又は４記載の筆記具。
【発明の詳細な説明】
【０００１】
【発明の属する技術分野】
本発明は筆記具に係り、特に、指圧のできる筆記具に関する。
【０００２】
【従来の技術】
肩が凝ったときなどは、指圧棒により肩のツボを指圧することが多いが、手元に指圧棒が無い場合は、指圧棒の代わりに、筆記具の端部をツボの部分に押し当てて指圧することが多い。
【０００３】
しかしながら、ノック式の筆記具の場合は、軸の一端に筆記部が配置され、他端にノック部が配置されており、筆記部で指圧するとインク等が衣服に付着する問題や、筆記部が先鋭なので危険であるという問題があり、又、ノック部で指圧すると、筆記部が出没してしまうという問題や、ノック部が指圧時に引っ込むので指圧に適した圧力を得ることができないという問題がある。
【０００４】
また、キャップ式筆記具の場合は、キャップの形状が指圧に適していないという問題や、キャップが指圧時に外れてしまうという問題がある。
【０００５】
また、指圧のできる筆記具として、従来、筆記具の頭部にスプリングを介して永久磁石を上下動するように取付けたものが存在する（例えば、特許文献１参照）。
【０００６】
しかしながら、この筆記具の場合、筆記部をノック操作で出没させることができず、キャップ式に限定されてしまうという制約があり、又、磁石が直接身体に触れるように取付けられているが、磁石が指圧に適した形状になっていないので指圧しにくいという不具合があり、さらに、上記のように磁石が上下動するので、指圧に適した圧力を得にくいという不具合がある。
【０００７】
また、同じく指圧のできる筆記具として、軸の一端に回転自在に抜け止め保持されてマッサージを行なうことができる球体を備えたものが存在する（例えば、特許文献２参照）。
【０００８】
しかしながら、この筆記具の場合、その球体がノック操作部材を兼ねているので、上記のように、指圧時に筆記部が出没してしまうという問題や、ノック部が指圧時に引っ込むので指圧に適した圧力を得にくいという不具合がある。
【０００９】
【特許文献１】
登録実用新案公報第３０３０４５１号
【特許文献２】
登録実用新案公報第３０６０８７８号
【００１０】
【発明が解決しようとする課題】
本発明は、上記のような不具合を解消でき、指圧に適し、かつ、指圧効果の高い筆記具の提供を課題とする。
【００１１】
【課題を解決するための手段】
上記課題を解決するために、本発明の筆記具は、筆記具軸に収納された筆記芯の筆記部を筆記具軸の先端において出没させるノック式操作部材が上記筆記具軸の中間側面部に設けられると共に、筆記具軸における反先端側端部に指圧部材が設けられたことを特徴とするものである。
【００１２】
これにより、本発明に係る筆記具は、筆記具軸に収納された筆記芯の筆記部を筆記具軸の先端においてノック操作により出没させることができる。したがって、キャップなどを着脱する煩瑣がなく使い勝手がよい。また、筆記具軸における反先端側端部に設けられた指圧部材により身体のツボを指圧できるので、肩凝り等を解消することができる。
【００１３】
また、本発明に係る筆記具は、上記指圧部材に磁石が取付けられていることを特徴とする。
【００１４】
これにより、本発明に係る筆記具は、上記磁石から発せられる磁気の作用により指圧箇所の血行を促進させることができるので、指圧効果が増大する。
【００１５】
また、本発明に係る筆記具は、上記指圧部材が上記筆記具軸に対し着脱自在で、筆記具軸から取り外すことにより、筆記具軸の内部へ筆記芯を補充できるように形成されていることを特徴とする。
【００１６】
これにより、本発明に係る筆記具にあっては、指圧部材が筆記芯の補充の妨げとなることがない。上記指圧部材は筆記具軸の内部に形成された筆記芯収納スペースの蓋の役割を果たす。
【００１７】
また、本発明の筆記具は、上記指圧部材がプラスチックにより略弾頭状に形成され、その頭部に上記磁石がその先端面を露呈するように埋設されていることを特徴とする。
【００１８】
これにより、本発明の筆記具は、指圧部材が指圧に適した形状になっているので、指圧しやすく、かつ、指圧した場合に肌が痛くならない。また、その頭部に磁石がその先端面を露呈するように埋設されていることにより、その磁石も肌に触れるので、上記のような磁気作用により指圧効果が増大する。
【００１９】
また、本発明の筆記具は、上記磁石にネオジウムが用いられていることを特徴とする。
【００２０】
これにより、本発明の筆記具は、高磁束密度を有するネオジウムの強い磁気作用により指圧効果をさらに高めることができる
【００２１】
【発明の実施の形態】
以下、添付した図面を用いて本発明の実施の形態について説明する。まず、図示した本実施の形態に係る筆記具１は、図１及び図２に示すように、筆記具軸２に収納された筆記芯３の筆記部４を筆記具軸２の先端において出没させるノック式操作部材５が上記筆記具軸２の中間側面部に設けられると共に、筆記具軸２における反先端側端部に指圧部材６が設けられている。
また、図１乃至図４に示すように、上記指圧部材６には磁石７が取付けられている。
また、図３に示すように、上記指圧部材６は上記筆記具軸２に対し着脱自在で、筆記具軸２から取り外すことにより、筆記具軸２の内部へ筆記芯３を補充できるように形成されている。
また、上記指圧部材６はプラスチックにより、図１乃至図３に示すように、略弾頭状に形成され、その頭部６ａに上記磁石７が、図４に示すように、その先端面７ａを露呈するように埋設されている。
また、上記磁石７にはネオジウムが用いられている。
【００２２】
本実施の形態に係る上記筆記具１は、図１に示すように、シャープペンシルになっている。しかしながら、本発明における筆記具の種類は自由であり、上記シャープペンシルに限定されるものではなく、ボールペン等、その他の筆記具も勿論含まれる。
【００２３】
上記筆記具１における筆記具軸２の内部には、図１及び図２に示すように、筆記芯３が収納されている。本実施形態のように筆記具１がシャープペンシルの場合は、上記筆記芯３はシャープペンシルの芯が相当する。また、筆記具１がボールペンの場合はリフィールなどと称されているボールペンの芯が相当する。
【００２４】
上記筆記芯３の先端筆記部４は上記筆記具軸２の先端において出没自在となっている。図１及び図２に示すように、筆記具軸２の先端には開口を有する口金８が取付けられ、筆記芯３の先端部はその口金８の開口部を貫通して出没する。
【００２５】
上記筆記芯３の先端筆記部４が上記筆記具軸２の先端において出没自在となるために、上記筆記芯３は筆記具軸２の内部に軸方向へ移動自在に収納されている。
【００２６】
上記筆記芯３を筆記具軸２の内部において軸方向へ移動自在にするために、筆記具軸２の内部には筆記芯３の繰出機構が収納されている。本実施形態に係る筆記具１は上記のようにシャープペンシルなので、繰出機構として芯の把持部材であるチャックが使用されている。なお、繰出機構は自由であり、筆記具の種類に応じて最適なものを採用することができる。
【００２７】
上記筆記具軸２の内部に収納された繰出機構としてのチャックは筆記芯３を把持して筆記具軸２の先端方向へ移動することにより、図１及び図２に示すように、筆記芯３の先端筆記部４を筆記具軸２の先端から突出させて筆記可能な状態にする。そのチャックを移動させるために、ノック式操作部材５が設けられている。
【００２８】
上記ノック式操作部材５は、図１及び図２に示すように、筆記具軸２における中間側面部に配置され、筆記具軸２の側方へ突出するように設けられている。なお、筆記具軸２には一体にクリップ９が形成されていて、上記ノック式操作部材５はそのクリップ９と同一方向へ突出している。
【００２９】
上記ノック式操作部材５は筆記具軸２の直径方向へ指先でノックする（押す）ことにより、カム機構を利用して上記チャックを軸方向へ移動可能としている。また、ノック力を解除すると、すなわち、ノック式操作部材５から指を離すと、自動的に元の位置に復帰するようにバネで付勢されている。なお、上記のチャック、カム機構及びバネ等の筆記具軸２の内部に収納されている機構は図を省略した。
【００３０】
また、図１及び図２に示すように、筆記具軸２における反先端側端部には指圧部材６が設けられている。
【００３１】
上記指圧部材６は、図３に示すように、プラスチックにより略弾頭状に形成されている。すなわち、この指圧部材６は丸い頭部６ａを有し、その頭部６ａを肌に接触させて指圧することができる。
【００３２】
上記指圧部材６は、図３に示すように、筆記具軸２に対し着脱自在に形成されている。上記指圧部材６は、同じく図３に示すように、反頭部側に雄ネジ１０が突設されている。また、上記筆記具軸２は、上記指圧部材６を着脱自在とする端部が開口していて、その内面部に雌ネジが形成され、その雌ネジに上記指圧部材６が雄ネジ１０を螺着させるようになっている。
【００３３】
上記筆記具軸２の内部には筆記芯収納スペースが設けられていて、図３に示すように、上記指圧部材６を上記筆記具軸２から取り外すと、その筆記芯収納スペースが開口して、その筆記芯収納スペースへ筆記芯３を補充することができるようになっている。すなわち、上記指圧部材６は筆記芯収納スペースの蓋の役割も有している。
【００３４】
図１乃至図４に示すように、上記指圧部材６の頭部６ａにおける中心部には磁石７が設置されている。この磁石７は先端面７ａが露呈するように指圧部材６に埋設されている。
【００３５】
上記磁石７には高磁束密度を有するネオジウムが使用されている。
【００３６】
【作用】
以下、本実施の形態に係る筆記具の作用について説明する。肩が凝ったような場合は、上記指圧部材６の頭部６ａを肌に接触させて適度な圧力で押すことにより指圧することができる。
【００３７】
そのとき、上記指圧部材６に取付けられた磁石７の先端面７ａが直に肌に接触し、肌は磁気の作用により血行が促進されて、指圧効果が増大する。
【００３８】
また、筆記する場合は、筆記具軸２の中間側面部に配置されたノック式操作部材５をノックして筆記芯３の先端筆記部４を軸先端から突出させることにより行なうことができる。
【００３９】
また、筆記芯３の補充を行なう場合は、上記指圧部材６を上記筆記具軸２から取り外して、筆記芯収納スペースを開口した状態にして行い、補充が終了したら、再び、上記指圧部材６を上記筆記具軸２に嵌着して筆記芯収納スペースを開じる。
【００４０】
【発明の効果】
請求項１記載の本発明の筆記具は、ノック式操作部材が上記筆記具軸の中間側面部に設けられていることにより、筆記具軸に収納された筆記芯の筆記部を筆記具軸の先端においてノック操作により出没させることができるので、キャップなどを着脱する煩雑さがなく使い勝手がよい。また、筆記具軸における反先端側端部に設けられた指圧部材により身体のツボを指圧できるので、肩凝り等を解消することができる。
【００４１】
また、請求項２記載の本発明の筆記具は、上記指圧部材に磁石が取付けられていることにより、その磁気の作用により指圧箇所の血行が良くなるので、指圧効果が増大する。
【００４２】
また、請求項３記載の本発明の筆記具は、指圧部材が筆記具軸に対し着脱自在で、筆記具軸から取り外すことにより、筆記具軸の内部へ筆記芯を補充できるので、指圧部材が筆記具軸の内部に形成された筆記芯収納スペースの蓋の役割を果たすことができる。
【００４３】
また、請求項４記載の本発明の筆記具は、指圧部材がプラスチックにより略弾頭状に形成されていることにより、指圧に適した形状になっており、指圧しやすく、かつ、肌が痛くならないというメリットがある。また、その頭部に磁石がその先端面を露呈するように埋設されていることにより、その磁石も肌に触れるので、上記のような磁気作用により指圧効果が高まる。
【００４４】
また、請求項５記載の本発明の筆記具は、磁石にネオジウムが用いられており、このネオジウムは高磁束密度を有しているので、磁気作用が強く、指圧効果をさらに高めることができる。
【図面の簡単な説明】
【図１】本実施の形態に係るシャープペンシルの正面図である。
【図２】本実施の形態に係るシャープペンシルの側面図である。
【図３】本実施の形態に係るシャープペンシルの、筆記具軸から指圧部材を取り外した状態の側面図である。
【図４】本実施の形態に係るシャープペンシルにおける指圧部材の平面図である。
【符号の説明】
１  筆記具
２  筆記具軸
３  筆記芯
４  筆記部
５  ノック式操作部材
６  指圧部材
６ａ  頭部
７  磁石
７ａ  先端面
８  口金
９  クリップ
１０  雄ネジ
【図１】
2004345224.tif 000003
【図２】
2004345224.tif 000004
【図３】
2004345224.tif 000005
【図４】
2004345224.tif 000006